【手続補正書】
【提出日】平成16年9月3日(2004.9.3)
【手続補正１】
【補正対象書類名】明細書
【補正対象項目名】全文
【補正方法】変更
【補正の内容】
【書類名】          明細書【発明の名称】      傾斜型スライサーの材料押送装置【特許請求の範囲】    【請求項１】  底面板と側壁とを断面Ｌ字形に連ねて傾斜する肉載せ台に付設されて、該肉載せ台内を降下する材料を後ろから支えながら押送するように用いられる傾斜型スライサーの材料押送装置において、肉載せ台の側壁の外側に、互いに平行する上下２段のガイド軸を肉載せ台の傾斜に沿って横架し、上部ガイド軸に対しては上部軸孔を摺動自在に遊嵌し、下部ガイド軸に対しては上部ガイド軸を支点として若干の揺動を自在にした長孔を遊嵌した押送ガイド部材を備え、この押送ガイド部材の先端に、肉載せ台内の材料を後ろから支えながら押送する押送部材を連結する一方、上記押送ガイド部材の横幅に相当する長さを有して下部ガイド軸の後端部の内側面に設けた掛止凹部と、この掛止凹部の設置位置の近傍に設けられ、ガイド軸上を下方から押し上げられた押送ガイド部材を内側から圧迫して自動的に掛止凹部内に押し入れる板ばねとからなる掛止装置を設け、ガイド軸上を押し上げた押送ガイド部材を上記長孔と掛止凹部と板ばねとの係合により掛止させて、非使用時の押送部材を肉載せ台上後部の１次回避位置に保持させるようにした傾斜型スライサーの材料押送装置。  【請求項２】  前記押送ガイド部材の外側面に、Ｌ字形に屈曲する先端部に前記押送部材を取り付けた押送部支持部材を重ね合わせ、この押送部支持部材を、下端に挿通した枢着軸と、押送ガイド部材の外側面上部との間に設けた連結着脱手段とで押送ガイド部材に連結するとともに、この連結着脱手段を作動させて、押送部支持部材と押送部材を使用位置に固定したり、押送部支持部材を押送ガイド部材に対して揺動可能に開放したりする開閉操作用ハンドルを取り付け、前記長孔と掛止凹部と板ばねとの係合により保持される押送部材の１次回避位置において、上記開閉操作用ハンドル及び連結着脱手段を介して押送部支持部材を押送ガイド部材から開放し、枢着軸を支点として押送部支持部材を肉載せ台の後側へ揺動することにより、１次回避位置にある押送部材を該台の後縁側から裏面側に向けて回動し、肉載せ台後部の２次回避位置に回避させるようにするとともに、押送ガイド部材の前部側面に、押送部支持部材の前傾を阻止するストッパーを設けたことを特徴とする請求項１の傾斜型スライサーの材料押送装置。  【請求項３】  前記連結着脱手段は、前記開閉操作用ハンドルの内端に同軸上に一体に備えられて、前記押送部支持部材の外側面に突設した筒軸を揺動自在に貫通し、同筒軸内に嵌装したコイルばねに付勢され、先端部を前記押送ガイド部材の外側面に突出させた掛止軸と、上記筒軸の内端に対向して上記掛止軸の先端部を嵌合するように、押送ガイド部材の外側面に設けた嵌合凹部とからなり、前記肉載せ台は、裏面一側に上記開閉操作用ハンドルの保持部を設け、この保持部に、開閉操作用ハンドルの掛止軸の先端部を嵌入させる嵌合凹部を備え、この嵌合凹部に、前記２次回避位置へ押送部材を回動させた開閉操作用ハンドルの掛止軸の先端部を嵌合させて、押送部材を固定保持するようにしたことを特徴とする請求項２の傾斜型スライサーの材料押送装置。【発明の詳細な説明】    【０００１】    【産業上���利用分野】  この発明は、底面板と側壁とを断面Ｌ字形に連ねて傾斜する肉載せ台に付設されて、該肉載せ台内を降下する材料を後ろから支えながら押送するように用いられる傾斜型スライサーの材料押送装置に関し、肉載せ台の傾斜に沿って押送部材を上昇させ、その上昇位置で自動的に下降が掛止されるようにして、材料の積み込み時などの作業性を向上できるようにしたものである。    【０００２】    【従来の技術】  従来の傾斜型スライサーの材料押送装置は、例えば図５に示すように、肉載せ台の側壁の外側面に沿って横架したガイド軸に、肉載せ台内の材料に後ろから接して押送する押送部材の基部を遊嵌し、このガイド軸を支点として、押送部材を肉載せ台の内外に回動自在に備えることにより、押送部材の使用位置と、材料の積み込みなどの非使用時に作業の邪魔にならないように、押送部材を肉載せ台の側壁の外側へ回避させる回避位置とに切り換えられるようにしていた。    【０００３】  【発明が解決しようとする課題】  肉載せ台の外側に回避させた押送部材は、その長さ分だけスライサーの使用者が立つ手前側に突出することになるので作業空間が狭くなり、それによって使用者の移動が妨げられる上に、高い位置にある肉載せ台内へ材料を積み込み難くする。また、スライスを一時止めて材料の姿勢などを直す場合にも邪魔になって、作業の迅速性が損なわれるようになる。    【０００４】  また、押送部材の使用位置と回避位置との切り換えは、ガイド軸を支点として重い押送部材を側壁の内外へ回動させる操作を伴うので、労力を必要とし、使用者に大きな負担がかかる。また、押送部材を使用位置、回避位置に切り換えて安定して放すまでの時間もかかるという欠点もある。    【０００５】  以上のことから、押送部材の使用位置と回避位置との切り換えの労力が軽減でき、また、切り換え操作も迅速にできるようにし、かつ、一般に狭小なスライサーの設置場所における色々の作業に支障しないように押送部材を回避できるようにすることがこの種の材料押送装置において解決すべき課題となっていた。    【０００６】  【課題を解決するための手段】  そこで本発明は、底面板と側壁とを断面Ｌ字形に連ねて傾斜する肉載せ台に付設されて、該肉載せ台内を降下する材料を後ろから支えながら押送するように用いられる傾斜型スライサーの材料押送装置において、肉載せ台の側壁の外側に、互いに平行する上下２段のガイド軸を肉載せ台の傾斜に沿って横架し、上部ガイド軸に対しては上部軸孔を摺動自在に遊嵌し、下部ガイド軸に対しては上部ガイド軸を支点として若干の揺動を自在にした長孔を遊嵌した押送ガイド部材を備え、この押送ガイド部材の先端に、肉載せ台内の材料を後ろから支えながら押送する押送部材を連結する一方、上記押送ガイド部材の横幅に相当する長さを有して下部ガイド軸の後端部の内側面に設けた掛止凹部と、この掛止凹部の設置位置の近傍に設けられ、ガイド軸上を下方から押し上げられた押送ガイド部材を内側から圧迫して自動的に掛止凹部内に押し入れる板ばねとからなる掛止装置を設け、ガイド軸上を押し上げた押送ガイド部材を上記長孔と掛止凹部と板ばねとの係合により掛止させて、非使用時の押送部材を肉載せ台上後部の１次回避位置に固定保持させるようにした傾斜型スライサーの材料押送装置を提供するものである。    【０００７】  また本発明装置は、前記押送ガイド部材の外側面に、Ｌ字形に屈曲する先端部に前記押送部材を取り付けた押送部支持部材を重ね合わせ、この押送部支持部材を、下端部に挿通した枢着軸と、押送ガイド部材の外側面上部との間に設けた連結着脱手段とで押送ガイド部材に連結するとともに、この連結着脱手段を作動させて、押送部支持部材と押送部材を使用位置に固定したり、押送部支持部材を押送ガイド部材に対して揺動可能に開放したりする開閉操作用ハンドルを取り付け、前記長孔と掛止凹部と板ばねとの係合により保持される押送部材の１次回避位置において、上記開閉操作用ハンドル及び連結着脱手段を介して押送部支持部材を押送ガイド部材から開放し、枢着軸を支点として押送部支持部材を肉載せ台の後側へ揺動することにより、１次回避位置にある押送部材を該台の裏側に向けて回動し、肉載せ台の後部裏面の２次回避位置に回避させるようにするとともに、押送ガイド部材の前部側面に、押送部支持部材の前傾を阻止するストッパーを設けたことにより、押送部材を肉載せ台の側壁外に突出させることなく、作業の邪魔にならず、また、切り換えの作業性にも優れており、１次回避位置よりもさらに安定した２次回避位置に回避させることができる。  また、側壁に沿って前後に２分割された押送ガイド部材と押送部支持部材との重ね合わせた状態を連結着脱手段を介して確実に固定し、使用位置にある押送部材を安定して保持することができる。 【０００８】  また本発明装置は、前記連結着脱手段を、前記開閉操作用ハンドルの内端に同軸上に一体に備えられて、前記押送部支持部材の外側面に突設した筒軸を揺動自在に貫通し、同筒軸内に嵌装したコイルばねに付勢され、先端部を前記押送ガイド部材の外側面に突出させた掛止軸と、上記筒軸の内端に対向して上記掛止軸の先端部を嵌合するように、押送ガイド部材の外側面に設けた嵌合凹部とによって構成し、前記肉載せ台の裏面一側に、上記開閉操作用ハンドルの保持部を設け、この保持部に、開閉操作用ハンドルの掛止軸の先端部を嵌入させる嵌合凹部を備え、この嵌合凹部に、前記２次回避位置へ押送部材を回動させた開閉操作用ハンドルの掛止軸の先端部を嵌合させて、押送部材を固定するようにしたので、押送部材の、使用状態、固定状態からの開放がワンタッチ状にでき、切り換え操作をより迅速に、かつ、確実にできるようにすることができる。 【０００９】  【作用】  本発明装置は、使用状態に下降していた押送部材を押送ガイド部材とともに、上下２段のガイド軸上を所定位置まで押し上げると、内側面を板ばねに圧迫された押送ガイド部材が上部ガイド軸を支点として側壁の外側方に揺動し、長孔の余裕幅の範囲で傾斜する下部を下部ガイド軸の内側面の掛止凹部に嵌入させる。それによって、押送部材は肉載せ台上で下降を阻止され、自動的に肉載せ台の後部上面の１次回避位置に固定保持される。 【００１０】この回避位置からの開放は、掛止凹部に嵌入させている押送ガイド部材の下部を、上記板ばねの付勢に抗して肉載せ台の側壁側に押し付けて、掛止凹部から脱出させた状態を保ちつつ板ばねの長さの分だけ押送ガイド部���を下降させることにより、ガイド軸に誘導させて使用位置に復帰させることができる。 【００１１】  【実施例】  以下に本発明の実施例を図面について説明する。  図１に示すように、本発明に係る押送装置１は、底面板２と側壁３とをＬ字形に一体に連ねて具えて、図４に示すように、スライサーＳの丸刃の回転面に前端面を沿わせて傾斜して設置される肉載せ台Ｂの側壁３に付設される。 【００１２】  押送装置１は、側壁３の外側面に沿って取り付けられ、両端を側壁３の前後に固定されて互いに平行する上下２段のガイド軸４、５と、ガイド軸４、５に摺動自在に遊嵌した押送ガイド部材６と、押送ガイド部材６に連結されて、側壁３の上端から肉載せ台Ｂ内に嵌合する押送部材７とを主要構成部材とする。 【００１３】  図２、３に示すように、押送ガイド部材６は、横幅方向に貫通する上部軸孔８と、下部に長孔９を具え、上部ガイド軸４に対しては、上部軸孔８を単に摺動自在に遊嵌し、下部ガイド軸５に対しては、上部ガイド軸４を支点として若干の揺動を自在にするように、横と縦の内径に適宜の余裕のある長孔９を嵌合させている。 【００１４】  この押送ガイド部材６を押送部材７と共に、肉載せ台Ｂの後部上方の１次回避位置に掛止する掛止装置１０は、下部ガイド軸５の後端（図１、２の右手）の内側面に設けた掛止凹部１１と、掛止凹部１１の近傍に設けた板ばね１２とにより構成されている。 【００１５】  掛止凹部１１は、押送ガイド部材６の横幅に相当する長さを有して、下部ガイド軸５の内側面を縦径方向に切除して設けられ、板ばね１２は、円弧面を下部ガイド軸５と略平行させて、肉載せ台Ｂの側壁３に片持ち支持されている。 【００１６】  図１に示すように、肉載せ台Ｂ内に嵌合している押送部材７を、材料の載置姿勢などを直す場合等に、その作業の邪魔にならないように回避させるときは、押送ガイド部材６を上下のガイド軸４、５上で下から押し上げ、肉載せ台上後部の１次回避位置へ移動させ、押送ガイド部材６を掛止装置１０に掛止させる。 【００１７】  ガイド軸４、５上を押し上げられて１次回避位置に達した押送ガイド部材６は、板ばね１２により下部内側面を圧迫され、上部ガイド軸４を支点として長孔９の内径の余裕の範囲で若干揺動し、上昇過程で自動的に掛止凹部１１内に押し入れられる。 【００１８】  したがって、１次回避位置への回避操作はワンタッチ状にでき、上昇操作の手を離しても掛止凹部１１内に押送ガイド部材６が掛止されることにより押送部材７の下降は生じない。  また、１次回避位置からの開放は、板ばね１２の付勢に抗して押送ガイド部材６の下部を側壁３側に押し入れて掛止凹部１１から脱出させた後、ガイド軸４、５上を滑り降ろさせることにより、所望の使用位置まで押送部材７を下降させることができる。  上記のように、この押送装置１は、押送部材７を回動させることなく、それぞれワンタッチ状に１次回避位置と使用位置とに往復させることができる。 【００１９】  この実施例において、前記押送部材７は、前記押送ガイド部材６の外側面に対して重ね合わされたＬ字形の押送部支持部材１４の先端に固定され、一体に支持されている。  そして、押送部支持部材１４は、図３に示すように、下端部に挿通した枢着軸１３と、押送ガイド部材６の外側面上部との間に設けた連結着脱手段１６とで押送ガイド部材６に連結されている。また、押送部支持部材１４は、枢着軸１３の上方に、連結手段１６を作動させて、押送ガイド部材６に対し、押送部支持部材１４を揺動可能に開放したり、押送ガイド部材６に沿わせて互いに一体に固定する開閉操作用ハンドル１５を取り付けている。 【００２０】  開閉操作用ハンドル１５の操作により、上記のように押送ガイド部材６と押送部支持部材１４を互いに一体に固定したり、開放したりする連結着脱手段１６は、図３に示すように、開閉操作用ハンドル１５の内端に同軸上に一体に備えられて、押送部支持部材１４の外側面に突設した筒軸１７を摺動自在に貫通し、同筒軸内に嵌装したコイルばね１８に付勢されて、先端部１９’を押送ガイド部材６の外側面に突出させた掛止軸１９と、筒軸１７の内端に対向して掛止軸１９の先端部１９を嵌合するように、押送ガイド部材６の外側面に設けた嵌合凹部２０とからなる。 【００２１】  図１、２のように、押送ガイド部材６と押送部支持部材１４とが重ね合わされている状態から、開閉操作用ハンドル１５を手前側に引き、コイルばね１８に抗して掛止軸１９の先端部１９’を嵌合凹部２０から脱出させると、押送ガイド部材６と押送部支持部材１４の固定が開放される。次いで開閉操作用ハンドル１５を図２中虚線矢印方向に回動すると、枢着軸１３を支点として押送部支持部材１４は、肉載せ台Ｂの後方に向けて揺動する。 【００２２】  このハンドル操作を、図２に示すように前記１次回避位置において行うと、押送部支持部材１４の先端に連なる押送部材７は、肉載せ台Ｂの底面板２の後縁から同裏面に回動し、肉載せ台Ｂ裏面の２次回避位置へ達する。  肉載せ台Ｂは、裏面一側に上記開閉操作用ハンドル１５の保持部２１を設け、この保持部２１に、開閉操作用ハンドル１５の掛止軸１９の先端部１９’を嵌入させる嵌合凹部２２を備え、２次回避位置へ回動させた押送部材７の回避状態を固定保持する。 【００２３】  なお、図中２３は、図２中虚線矢印方向に、開閉操作用ハンドル１５を２次回避位置へ回動したときに、押送部材７と接しさせるようにした緩衝体、２４は、押送部材７を使用位置に復位させるときに、押送部支持部材１４が肉載せ台Ｂの前側に行き過ぎないように制止する、押送ガイド部材６の前部側面に突設したストッパーである。 【００２４】  なお、押送ガイド部材６は、肉載せ台Ｂ内における押送部材７の下降時の振動を抑制するために、図示するように、Ｔ字形に形成することが望ましい。  またこの押送装置１は、押送部材７を１次回避位置に回避させて置くこともできるが、２次回避位置へ回避できるようにすることにより、さらに作業し易く、安定した使用のできる装置となる。  また、本発明は実施例に態様に限らず、本発明の要旨にそって設計変更される場合のあることは云うまでもない。 【００２５】  【発明の効果】  以上のように本発明は、上下２段にガイド軸を備え、押送ガイド部材を、下部ガイド軸の後端部に設けた掛止凹部と、その近傍に設けた板ばねとからなる掛止装置により、肉載せ台後部で押送ガイド部材を自動的に若干揺動させて掛止させ、それによって、押送部材を回動���せることなく、肉載せ台上の後部の回避位置に固定保持させるようにした。 【００２６】  したがって，本発明によれば、非使用時に回避位置に置いた押送部材がスライサーの手前側に突出せず、作業範囲を狭めることがない。また、非使用位置への回避操作と異様位置への復帰操作がワンタッチ状にできるので、その切り換え操作が迅速にでき、かつ、回動操作が省けることにより労力も軽減できる。  本発明には以上のように優れた効果がある。【図面の簡単な説明】    【図１】図１は本発明の実施例を示す一部切欠斜視図    【図２】図２は一部切欠拡大側面図    【図３】図３は一部切欠拡大背面図    【図４】図４は実施例の使用状態を示す斜視図    【図５】図５は従来の押送装置をその使用状態とともに示めす斜視図である。  【符号の説明】 Ｓ  スライサー  １  押送装置  Ｂ  肉載せ台  ２  底面板  ３  側壁  ４  上部ガイド軸  ５  下部ガイド軸  ６  押送ガイド部材  ７  押送部材  ８  上部軸孔  ９  長孔  １０  掛止装置  １１  掛止凹部  １２  板ばね  １３  枢着軸  １４  押送部支持部材  １５  開閉操作用ハンドル  １６  連結着脱手段  １７  筒軸  １８  コイルばね  １９  掛止軸  １９’  先端部  ２０  嵌合凹部  ２１  保持部  ２２  嵌合凹部  ２３  緩衝体  ２４  ストッパー